(57)【要約】【課題】木製戸車をベアリングと軸を介し両持ち状態で支持し、耐久性の高い戸車構造を簡単に製作することができる木製戸車付引戸を提供する。【解決手段】木製引戸１の下枠３の下端に木製戸車６を外周を突出させて軸支した引戸１であって、下枠３の一面側より凹部からなる戸車収容部７を形成し、該戸車収容部７の外周に段部８を形成し、該段部８に戸車収容部７を覆う板状のカバー９を嵌合させて着脱可能に取付け、前記戸車６の軸１１をベアリング１３を介して取付けると共に、上記カバー９と該カバー９に対向する戸車収容部７側の壁部とに軸孔１２を形成して軸１１を軸支する木製戸車付引戸とした。【選択図】図２
0003139195.tif 000002
【実用新案登録請求の範囲】
【請求項１】
木製引戸（１）の下枠（３）の下端に木製戸車（６）を外周を突出させて軸支した引戸（１）において、下枠（３）の一面側より凹部からなる戸車収容部（７）を形成し、該戸車収容部（７）の外周に段部（８）を形成し、該段部（８）に戸車収容部（７）を覆う板状のカバー（９）を嵌合させて着脱可能に取付け、前記戸車（６）の軸（１１）をベアリング（１３）を介して取付けると共に、上記カバー（９）と該カバー（９）に対向する戸車収容部（７）側の壁部（３ａ）とに軸孔（１２）を形成して軸（１１）を軸支してなる木製戸車付引戸。
【請求項２】
軸孔（１２）がカバー（９）と壁部の内面側にのみ開口する有底孔である請求項１記載の木製戸車付引戸。
【請求項３】
軸孔（１２）に対し軸（１１）を締り嵌め嵌合した請求項１又は２記載の木製戸車付引戸。
【請求項４】
軸（１２）を金属製とした請求項１又は２又は３記載の木製戸車付引戸。
【請求項５】
段部（８）に嵌合する部分のカバー（９）の板厚を段部（８）の深さと同一に形成した請求項１又は２又は３又は４記載の木製戸車付引戸。
【請求項６】
戸車（９）の片面にベアリング（１３）を嵌合する段部（１４）を形成した請求項１又は２又は３又は４又は５記載の木製戸車付引戸。
【請求項７】
下枠（３）に対してカバー（９）を段部（８）においてビス止めした請求項１又は２又は３又は４又は５又は６記載の木製戸車付引戸。
【請求項８】
カバー（９）を木製板とした請求項１又は２又は３又は４又は５又は６又は７記載の木製戸車付引戸。
【請求項９】
戸車収容部（７）のカバー（９）に対向する下枠（３）側の壁部（３ａ）に内側と外側に貫通する透視孔（１９ａ）を形成した請求項１又は２又は３又は４又は５又は６又は７又は８記載の木製戸車付引戸。
【請求項１０】
引戸（１）が木製家具用の木製引戸である請求項１又は２又は３又は４又は５又は６又は７又は８又は９記載の木製戸車付引戸。
【請求項１１】
引戸（１）を取付ける引戸設置部（１６）の戸車（９）の戸車転接面（１７）に、弾力性を有する緩衝ラバー（１８）を貼着した請求項１又は２又は３又は４又は５又は６又は７又は８又は９又は１０記載の木製戸車付引戸。
【考案の詳細な説明】
【技術分野】
【０００１】
本考案は、建具や水屋或いは棚等の家具に使用することができる木製戸車付引戸に関する。
【背景技術】
【０００２】
従来、水屋等の家具に用いられる引戸は、その下枠の下端に形成される下戸車収容部内に木製戸車を外周を突出させて軸支している（例えば特許文献１。）。
上記特許文献１の引戸は下枠の底部に戸車収容部がくり抜かれ、この戸車収容部内に下方から挿入した戸車を、縦枠の横方向から挿入する軸木によって回転自在に軸支した構成となっている。
【特許文献１】実用新案登録第２５２９４８９号公報
【考案の開示】
【考案が解決しようとする課題】
【０００３】
上記特許文献１で示される引戸は、下枠の戸車収容部内に挿入した木製戸車を戸車収容部の両壁に挿入する軸木によって両持ち支持している。然し、この戸車構造は戸車収容部を下枠の底部からくり抜く加工によって行うので、くり抜き作業が煩雑でコスト高になる等の欠点がある。
また木製戸車を下枠の横から打ち込み挿入する軸木によって回転自在に取付ける構成にしているため、戸車と軸木の回転摺動部に摩損を生じ易いものであると共に、戸車及び軸木の交換が行ない難い等の課題がある。
【課題を解決するための手段】
【０００４】
上記課題を解決するために木製戸車付引戸は、第１に、木製引戸１の下枠３の下端に木製戸車６を外周を突出させて軸支した引戸１において、下枠３の一面側より凹部からなる戸車収容部７を形成し、該戸車収容部７の外周に段部８を形成し、該段部８に戸車収容部７を覆う板状のカバー９を嵌合させて着脱可能に取付け、前記戸車６の軸１１をベアリング１３を介して取付けると共に、上記カバー９と該カバー９に対向する戸車収容部７側の壁部３ａとに軸孔１２を形成して軸１１を軸支してなることを特徴としている。
【０００５】
第２に、軸孔１２がカバー９と壁部の内面側にのみ開口する有底孔であることを特徴としている。
【０００６】
第３に、軸孔１２に対し軸１１を締り嵌め嵌合したことを特徴としている。
【０００７】
第４に、軸１２を金属製としたことを特徴としている。
【０００８】
第５に、段部８に嵌合する部分のカバー９の板厚を段部８の深さと同一に形成したことを特徴としている。
【０００９】
第６に、戸車６の片面にベアリング１３を嵌合する段部１４を形成したことを特徴としている。
【００１０】
第７に、下枠３に対してカバー９を段部８においてビス止めしたことを特徴としている。
【００１１】
第８に、カバー９を木製板としたことを特徴としている。
【００１２】
第９に、戸車収容部７のカバー９に対向する下枠３側の壁部３ａに内側と外側に貫通する透視孔１９ａを形成したことを特徴としている。
【００１３】
第１０に、引戸１が木製家具用の木製引戸であることを特徴としている。
【００１４】
第１１に、引戸１を取付ける引戸設置部１６の戸車６の戸車転接面１７に、弾力性を有する緩衝ラバー１８を貼着したことを特徴としている。
【考案の効果】
【００１５】
以上のように構成される本考案は次のような効果を奏する。下枠の一面側より形成される凹部からなる戸車収容部に戸車をベアリングを介して軸を取付け、戸車収容部の外周に形成した段部にカバーを軸の他端を支持して嵌合させて戸車収容部を覆うので、木製戸車をベアリングを介し軸の両端部を戸車収容部の軸孔とカバーの軸孔によって両持ち状態となし安定よく支持することができ、木製戸車なので開閉音が殆んど発生しない。
また下枠を底部からほり抜き加工をすることなく一面側より凹入切削加工することにより戸車収容部を形成し、且つ戸車を設置した戸車収容部にカバーを取付けるだけで木製戸車付引戸を簡単に製作することができる。
【００１６】
軸を嵌合させる軸孔をカバーと戸車収容部の壁部の内面側にのみ開口する有底孔にしたことにより、軸を両端側から押圧して強く固定することができると共に、木製の下枠やカバーの木目中に異質材の軸端の露出を防止し意匠性を高めることができる。
【００１７】
ベアリングを介して戸車を備える軸を軸孔に締り嵌め嵌合としたことにより、軸を支持部材とカバーに安定的に軸支し戸車の回転をスムーズにすることができる。
【００１８】
軸を金属製としたことにより、戸車を支持するベアリングを安定的に支持することができる。また軸は軸孔に締り嵌め嵌合されるので、木製部分と金属性の嵌合固定を確実にして戸車構造の耐久性を向上させることができる。
【００１９】
段部に嵌合する部分のカバーの板厚を段部の深さと同一に形成したことにより、下枠の表面側からカバーを突出させることなく面一にすることができ外観性を向上させることができ、また引戸の開閉をスムーズに行うことができる。
【００２０】
戸車の片面にベアリングを嵌合する段部を形成したことにより、戸車の一側からべアリングを埋設状態で固定するので、戸車をベアリングを介して戸車収容部内に安定よく設置支持することができる。
【００２１】
下枠に対してカバーを段部においてビス止めしたことにより、引戸は下枠に対してカバーの着脱性を高め戸車の組み付け及び交換等の作業を簡単に行うことができると共に、軸の固定性を高めることができる。
【００２２】
カバーを木製板としたことにより、下枠に対し木質感を損なうことなく意匠性を高めることができる。
【００２３】
戸車収容部のカバーに内側と外側に貫通する透視孔を形成したことにより、戸車の回転を外観することができる。
【００２４】
引戸を木製家具用の木製引戸にしたことにより、木製家具に対し木質感を損なうことなく意匠性を高めることができる。
【００２５】
戸車の戸車転接面に弾力性を有する緩衝ラバーを貼着したことにより、引戸の開閉時に戸車を緩衝作用を有してスムーズに転動させることができ、また引戸を戸車と戸車転接面の摩損を防止し引戸設置部に簡単に設置することができる。
【考案を実施するための最良の形態】
【００２６】
以下図示する本考案の一実施形態について説明する。図１〜図３において符号１は水屋等に使用される木製戸車付引戸（以下単に引戸と言う）であり、戸板２の下部に形成される下枠３の左右底部に本考案に係る戸車構造４を備えている。この戸車構造４は板厚が２５ミリ程度の下枠３の左右端から１０５ミリ程度の位置に、板厚１０ミリ程度で直径６０ミリ程度の木製戸車（以下単に戸車と言う）６を収容する凹部からなる戸車収容部７を形成し、該戸車収容部７の外周に深さ７ミリ程度の位置に段部８を形成し、該段部８に戸車収容部７を覆う木製板のカバー９を着脱可能に設けている。
【００２７】
図示例のカバー９は縦６５ミリ程度，横９０ミリ程度，厚さ７ミリ程度であり、段部８に対しネジ１０によって着脱自在に取付固定される。
戸車６は中心部に直径６ミリ程度の金属性の軸１１を挿入する軸孔６ａと、後述するベアリング１３を挿入固定する段部１４を、ベアリング厚さと等しい深さで直径１５ミリ程度の有底孔として形成している。そして、カバー９と該カバー９に対向する戸車収容部７の壁部には、上記軸１１を挿入支持する軸孔１２,１２を、下枠３の下面からの軸中心高さを２６ミリ程度の位置に深さ４ミリ程度の有底孔として穿設している。
【００２８】
この構成により引戸１は、直径１５ミリ程度のベアリング１３を段部１４に挿入嵌合すると共に、ベアリング１３に挿入した軸１１の一端部を戸車収容部７側の軸孔１２に挿入した状態で、該軸１１の他端部にカバー９側の軸孔１２を挿入することができる。そして、カバー９を段部８に嵌め込み複数のネジ１０によって締着固定することにより、軸１１の両端部を押圧支持し各戸車収容部７に対し、精度の高い戸車構造４ができる。
【００２９】
これにより戸車構造４は、戸車６を下枠３の下面から外周（転接面）を数ミリ程度突出させることができ、敷居や床面等の引戸設置部（ガイド部）１６に形成される凹溝状の戸車転接面（ガイド条）１７に転接可能に嵌挿することができる。
また上記戸車転接面１７は底部に緩衝ラバー１８を貼着しており、戸車６を緩衝作用を有して長期間スムーズに転動させて両者の摩損を防止することができる。また戸車転接面１７が突状のレールである場合には、戸車６の外周には該レールに嵌合する溝が形成される。
【００３０】
また引戸１は水屋等の戸車転接面１７に対しカバー９が取付けられる側を裏面として取付けることができ、下枠３の戸車収容部７に対応する壁部３ａには、戸車６の回転を外観することができる透視孔１９ａを穿設することができる。図示例の透視孔１９ａは楕円形状とし軸１１の近傍を中心に放射状に配置した装飾模様を形成している。これにより引戸１の意匠性を高めると共に、引戸１を開閉する際に戸車６の回転を外観することができる。尚、上記透視孔１９ａのほか所定箇所にデザイン的に統一された有底孔１９ｂを配設してもよく、またカバー９が取付けられる側を表面として引戸設置部１６に設置する場合には、該カバー９に透視孔を設けることができる。
【００３１】
以上のように構成される戸車構造４を備えた引戸１は、下枠３の一面側より形成された凹部からなる戸車収容部７にベアリング１３を介して軸１１を挿入して戸車６を取付け、戸車収容部７の外周に形成した段部８にカバー９を嵌合させる際に、軸１１の他端を挿入支持して戸車収容部７を覆うので、ベアリング１３を埋設固定した状態の戸車６を、軸１１の両端部を戸車収容部７の軸孔１２とカバー９の軸孔１２で両持ち支持して安定よく取付けることができる。また戸車６は片面に形成した段部１４にベアリング１３を埋設状態で嵌合させるので、戸車６をベアリング１３を介して軸１１に安定よく支持することができる。
【００３２】
また実施形態の戸車構造４は、戸車６に挿入嵌合されるベアリング１３及び軸１１を締り嵌め嵌合とし、且つ軸１１の両端部を各軸孔１２に締り嵌め嵌合としているので、木製部分と金属性の嵌合固定を確実とし、ベアリング１３を介しスムーズな戸車６の回転を促進し、戸車構造４の耐久性を向上させることができる。また上記嵌合固定箇所には必要により接着剤を用いた接着接合をすることもできる。
【００３３】
また上記戸車構造は、戸車収容部７を下枠３に底部からほり抜き加工をすることなく一面側より凹入切削することが容易で、戸車６を設置した戸車収容部７にカバー９を取付けるだけで引戸１を簡単に制作することができる。
また軸１１を嵌合させる軸孔１２は、カバー９と戸車収容部７の壁部の内面側にのみ開口する有底孔にしているので、戸車収容部７をカバー９で蓋をするだけで軸１１を両端側から押圧して強く固定をすることができ、また木製の下枠３やカバー９の木目中に異質材の軸端の露出を防止し意匠性を高めることができる。
【００３４】
そして、カバー９は板厚を戸車収容部７の段部８の深さと同一にしているので、下枠３の表面からカバー９を突出させることなく面一となして外観性を向上させることができ、また引戸１の引っ掛かりのない開閉をスムーズに行うことができる。
またカバー９を戸車収容部７の段部８においてビス止めした引戸１は、下枠３に対してカバー９の着脱性を高めて戸車６の組み付け及び交換等の作業を簡単に行うことができ、且つ軸１１の固定性を高めることができる。
【図面の簡単な説明】
【００３５】
【図１】本考案に係る引戸の戸車構造を示す背面図である。
【図２】図１の要部の構成を示す側断面図である。
【図３】図１の戸車構造を分解して示す底面図である。
【符号の説明】
【００３６】
１      引戸
２      戸板
３      下枠
３ａ    壁部
４      戸車構造
６      木製戸車
７      戸車収容部
８      段部
９      カバー
１１    軸
１２    軸孔
１３    ベアリング
１４    段部
１６    引戸設置部
１７    戸車転接面
１８    緩衝ラバー
１９ａ  透視孔
【図１】
0003139195.tif 000003
【図２】
0003139195.tif 000004
【図３】
0003139195.tif 000005